(57)【特許請求の範囲】
【請求項１】
押出機からの押出し材料を濾過するスクリーンを有するスライド式のスクリーンチェンジャーであって、
前記押出機の前端に固定されかつ押出し方向と直角なＸ軸方向にのびる案内孔を有するケース本体、
前記案内孔内をＸ軸方向にスライド移動可能に案内されるスライドプレートに、濾過用の前記スクリーンとブレーカプレートとを含む濾過セットを取り付けたスクリーンユニット、
及び前記案内孔の押出し方向後方側の側面である第１側面と、前記スクリーンユニットとの間をシールするシールリングを具え、
前記シールリングと前記スクリーンユニットとの間に、半径方向内側に向かって幅広となる断面略Ｖ字状の間隙部を具え、この間隙部内に前記押出機からの押出し材料の一部が流入することにより、前記シールリング全体が押出し方向後方側に移動しかつ前記第１側面に押圧されて、該第１側面と前記スクリーンユニットとの間をシールすることを特徴とするスクリーンチェンジャー。
【請求項２】
押出機からの押出し材料を濾過するスクリーンを有するスライド式のスクリーンチェンジャーであって、
前記押出機の前端に固定されかつ押出し方向と直角なＸ軸方向にのびる案内孔を有するケース本体、
前記案内孔内をＸ軸方向にスライド移動可能に案内されるスライドプレートに、濾過用の前記スクリーンとブレーカプレートとを含む濾過セットを取り付けたスクリーンユニット、
及び前記スクリーンユニットに保持され、前記案内孔の押出し方向後方側の側面である第１側面と、前記スクリーンユニットとの間をシールするシールリングを具え、
前記シールリングと前記スクリーンユニットとの間に、半径方向内側に向かって幅広となる断面略Ｖ字状の間隙部を具え、この間隙部内に前記押出機からの押出し材料の一部が流入することにより、前記シールリング全体が押出し方向後方側に移動しかつ前記第１側面に押圧されて、該第１側面との間をシールすることを特徴とするスクリーンチェンジャー。
【請求項３】
前記濾過セットは、前記スクリーンの押出し方向後方側に配されスクリーン保持リングを具え、かつこのスクリーン保持リングの押出し方向後方側の側面と前記シールリングとの間に前記間隙部が形成され、この間隙部内に前記押出機からの押出し材料の一部が流入することにより、前記スクリーン保持リングは、スクリーンをブレーカプレートに押し付けて保持することを特徴とする請求項１又は２記載のスクリーンチェンジャー。
【発明の詳細な説明】
【技術分野】
【０００１】
本発明は、押出機からの押出し材料を濾過するスクリーンチェンジャーに関し、特に、スクリーンユニットと、該スクリーンユニットをスライド移動可能に案内する案内孔との隙間からの押出し材料の漏れを構成簡易にシールしうるスクリーンチェンジャーに関する。
【背景技術】
【０００２】
押出機から押し出されるゴム等の押出し材料を濾過する装置として、例えばスライド式のスクリーンチェンジャーが知られている。この種のスクリーンチェンジャーａは、例えば図６に概念的に示すように、押出機ｂの前端に固定されるケース本体ａ１と、該ケース本体ａ１に支持されて押出し方向と直角なＸ軸方向にスライド移動しうるスクリーンユニットａ２とを具える。スクリーンユニットａ２は、前記ケース本体ａ１に設ける案内孔ｃ内を通るスライドプレートｄと、このスライドプレートｄ内に取り付く複数（例えば２つ）の濾過用のスクリーンｆと具える。
【０００３】
そして、一方のスクリーンｆに目詰まりが生じたとき、前記スクリーンユニットａ２をＸ軸方向に位置替えすることにより、他方の新しいスクリーンｆに切り替えすることができる。
【０００４】
ここで、スクリーンユニットａ２を円滑にスライド移動させるために、前記案内孔ｃとスクリーンユニットａ２との間に若干の隙間ｇが形成される。しかしこれが原因して前記隙間ｇから押出し材料の一部が漏れ出すという問題が生じる。特にスクリーンｆよりも押出し方向後方側（上流側）では、スクリーンｆ等の通過抵抗によって圧力Ｐが高くなるため、漏れは顕著に発生する。
【０００５】
そこで下記の特許文献１には、同図６に示すように、案内孔ｃの側面に取り付き、スクリーンユニットａ２との間をシールするリング状のシール材ｈを設けることが記載されている。このようなシール材ｈは、スクリーンユニットａ２との圧接力が一定である。そのため、圧接力を大きく設定した場合には、スクリーンユニットａ２をスライド移動させる際の抵抗が大きくなって円滑さを損ねる結果を招く。逆に圧接力を小さく設定した場合には、シール効果が不十分となり、スクリーンｆよりも押出し方向後方側の隙間ｇ１から漏れが発生する傾向となる。このように、スライド移動の円滑さとシール性とには二律背反の関係があり、双方を十分満足させることは難しい問題であった。
【先行技術文献】
【特許文献】
【０００６】
【特許文献１】特開平６−３２０５３３号公報
【発明の概要】
【発明が解決しようとする課題】
【０００７】
そこで本発明は、スクリーンユニットにおけるスライド移動の円滑性を確保しながら、シール性能を向上しうるスクリーンチェンジャーを提供することを課題としている。
【課題を解決するための手段】
【０００８】
本発明は、押出機からの押出し材料を濾過するスクリーンを有するスライド式のスクリーンチェンジャーであって、
前記押出機の前端に固定されかつ押出し方向と直角なＸ軸方向にのびる案内孔を有するケース本体、
前記案内孔内をＸ軸方向にスライド移動可能に案内されるスライドプレートに、濾過用の前記スクリーンとブレーカプレートとを含む複数の濾過セットをＸ軸方向に並設したスクリーンユニット、
及び前記案内孔の押出し方向後方側の側面である第１側面と、スクリーンユニットとの間をシールするシールリングとを具え、
前記シールリングとスクリーンユニットとの間に、半径方向内側に向かって幅広となる断面略Ｖ字状の間隙部を具え、この間隙部内に前記押出機からの押出し材料の一部が流入することにより、前記シールリング全体が押出し方向後方側に移動しかつ前記第１側面に押圧されて、該第１側面との間をシールすることを特徴としている。
【０００９】
本発明に係る前記スクリーンチェンジャーでは、前記濾過セットは、前記スクリーンの押出し方向後方側に配されスクリーン保持リングを具え、かつこのスクリーン保持リングの押出し方向後方側の側面と前記シールリングとの間に前記間隙部が形成され、この間隙部内に前記押出機からの押出し材料の一部が流入することにより、前記スクリーン保持リングは、スクリーンをブレーカプレートに押し付けて保持することが好ましい。
【００１０】
本発明に係る前記スクリーンチェンジャーでは、前記シールリングは、前記スライドプレートの側面よりも押出し方向後方側に突出し、かつ前記第１側面とスライドプレートとの間に３mm以上の隙間を持たせることが好ましい。
【発明の効果】
【００１１】
本発明は叙上の如く、案内孔の第１側面とスクリーンユニットとの間をシールするシールリングとを具えるとともに、シールリングとスクリーンユニットとの間に、半径方向内側に向かって幅広となる断面略Ｖ字状の間隙部を形成している。
【００１２】
そのため、押出機からの押出し材料の一部は、前記間隙部内にくさび状に流入する。ここで、押出機の稼働中は押出し材料の圧力は高い。そのため、押出機の稼働中は、高い圧力で流入するくさび状の押出し材料により、シールリング全体が押出し方向後方側に移動しかつ第１側面に強く押し付けられる。その結果、第１側面とシールリングとの間、ひいては第１側面とスクリーンユニットとの間のシール性能を高めることができる。
【００１３】
逆に、スクリーンを切り替える際には、押出機の稼働は停止される。そのため、押出し材料の圧力は低くなり、それにつれてシールリングの第１側面への押し付け力も小さくなる。その結果、スクリーンユニットをスライド移動させる際の抵抗が減じ、円滑性を確保することができる
【図面の簡単な説明】
【００１４】
【図１】本発明のスクリーンチェンジャーの一実施例を示す斜視図である。
【図２】スクリーンチェンジャーを上方から見た部分断面図である。
【図３】スクリーンユニットを示す分解斜視図である。
【図４】スクリーンユニットを側方から見た断面図である。
【図５】シールリングの周辺部分を示す部分拡大図である。
【図６】従来のスクリーンチェンジャーの一例を示す断面図である。
【発明を実施するための形態】
【００１５】
以下、本発明の実施の形態について、詳細に説明する。
図１、２に示すように、本実施形態のスクリーンチェンジャー１は、押出機２からの押出し材料を濾過するスライド式のスクリーンチェンジャーである。このスクリーンチェンジャー１は、前記押出機２の前端に固定されるブロック状のケース本体３と、濾過用のスクリーン１２を有するスライド移動可能なスクリーンユニット４とを少なくとも具える。
【００１６】
前記押出機２は、例えば未加硫のゴム、樹脂等の押出し材料を可塑化しながら押し出す押出機であって、従来的な種々の構造のものが好適に採用される。本例の押出機２は、押出し方向にのびるシリンダバレル５と、このシリンダバレル５内に収納されるスクリュー軸６とを含む。そして電動機による前記スクリュー軸６の回転駆動により、ホッパー５Ａから投入される押出し材料を、シリンダバレル５前端で開口する吐出口５Ｂから押し出す。
【００１７】
次に、スクリーンチェンジャー１のケース本体３は、前記シリンダバレル５の前端に固定される。このケース本体３は、前記押出機２からの押出し材料を受け取る材料流路７と、スクリーンユニット４を案内する案内孔８とを具える。
【００１８】
前記材料流路７は、前記吐出口５Ｂに連なり押出し方向にのびる。また前記案内孔８は、例えば断面矩形状をなし、押出し方向と直角なＸ軸方向にのびるとともに、前記材料流路７に交差する。この交差により、材料流路７は、交差位置よりも押出し方向後方側の第１流路部７Ａと、前方側の第２流路部７Ｂとに区分される。
【００１９】
前記スクリーンユニット４は、前記案内孔８内をＸ軸方向にスライド移動可能に案内されるスライドプレート９と、このスライドプレート９に取り付く複数（本例では２つ）の濾過セット１０とを具える。
【００２０】
図３、４に示すように、前記スライドプレート９には、各濾過セット１０を同心に収納保持する複数の収納孔１１がＸ軸方向に並設される。本例の収納孔１１は、内径が大な押出し方向後方側の第１孔部１１Ａと内径が小な前方側の第２孔部１１Ｂとを有する段付き孔状に形成される。
【００２１】
各前記濾過セット１０は、濾過用のメッシュ状のスクリーン１２と、このスクリーン１２を支持するブレーカプレート１３とを含む。ブレーカプレート１３は、前記第１孔部１１Ａに填る大径な第１胴部１３Ａと、第２孔部１１Ｂに填る小径な第２胴部１３Ｂと、前記第１胴部１３Ａの後方側に連なる小径な第３胴部１３Ｃとを具える段付き円盤状をなす。またブレーカプレート１３には、押出し方向に貫通することにより押出し材料が通過する複数の小孔１３Ｈが形成される。そしてこのブレーカプレート１３の押出し方向後方側に、前記スクリーン１２が隣接する。
【００２２】
本例の濾過セット１０は、前記スクリーン１２の押出し方向後方側に配されるスクリーン保持リング１４をさらに具える。スクリーン保持リング１４は、スクリーン１２の外周縁に沿ってのびる円環状をなし、このスクリーン保持リング１４とブレーカプレート１３との間で、スクリーン１２を挟んで保持する。
【００２３】
またスクリーンチェンジャー１は、前記案内孔８の押出し方向後方側の側面である第１側面Ｓ１と、スクリーンユニット４との間をシールするシールリング１５をさらに具える。またこのシールリング１５とスクリーンユニット４との間には、半径方向内側に向かって幅広となる断面略Ｖ字状の間隙部１６が設けられる。
【００２４】
図５に示すように、本例のシールリング１５は、スクリーンユニット４に保持される基部１５Ａと、この基部１５Ａから第１側面Ｓ１に沿って半径方向内側にのびるシール部１５Ｂとを含む。本例では、シールリング１５が、前記基部１５Ａとシール部１５Ｂとからなる断面略Ｌ字状をなす場合が示される。
【００２５】
前記基部１５Ａは、前記収納孔１１の内周面１１ｓ（本例では、前記第１孔部１１Ａの内周面１１Ａｓ）と、ブレーカプレート１３の外周面１３ｓ（本例では、前記第３胴部１３Ｃの外周面１３Ｃｓ）と間に挟まれて保持される。
【００２６】
また前記シール部１５Ｂは、濾過セット１０の押出し方向後方側の側面である第２側面Ｓ２と、前記第１側面Ｓ１との間に介在する。本例では、前記スクリーン保持リング１４の押出し方向後方側の側面が前記第２側面Ｓ２を構成している。
【００２７】
そして、前記シール部１５Ｂと第２側面Ｓ２との間に、前記間隙部１６が形成される。この間隙部１６は、前記材料流路７に通じている。本例では、前記第２側面Ｓ２が、半径方向内側に向かって押出し方向前方側に傾斜する傾斜面１７をなし、これにより前記間隙部１６が、断面略Ｖ字状に形成される場合が示される。
【００２８】
このように、シール部１５Ｂと第２側面Ｓ２との間に間隙部１６が形成され、かつ間隙部１６が、材料流路７に対して略Ｖ字状に開口している。そのため、押出機２からの押出し材料の一部は、間隙部１６内にくさび状に入り込む。
【００２９】
ここで、押出機２の稼働中は、スクリーン１２及びブレーカプレート１３が通過抵抗となるため、スクリーン１２よりも後方側では押出し材料の圧力は高くなる。従って、押出機２の稼働中においては、高い圧力で進入するくさび状の押出し材料により、シールリング１５全体が押出し方向後方側にスライド移動して第１側面Ｓ１に強く押し付けられる。その結果、第１側面Ｓ１とシール部１５Ｂとの間、ひいては第１側面Ｓ１とスクリーンユニット４との間のシール性能を高めることができる。逆に、くさび状の押出し材料によりスクリーンユニット４は押出し方向前方側に押し付けられる。そのためブレーカプレート１３の押出し方向前方側の側面と案内孔８との間には隙間がなくなり、シール材なしでもこの間からの押出し材料の漏れは阻止される。
【００３０】
他方、スクリーン１２を切り替える際には、押出機２の稼働は停止される。そのため、押出し材料の圧力は低くなり、それにつれてシール部１５Ｂの第１側面Ｓ１への押し付け力も小さくなる。その結果、スクリーンユニット４をＸ軸方向にスライド移動させる際の抵抗が減じ、スライド移動の円滑性を確保することができる。なおスライド移動の円滑性をより高めるためには、図５に示すように、シールリング１５をスライドプレート９の側面よりも押出し方向後方側に突出させるとともに、第１側面Ｓ１とスライドプレート９との間に３mm以上の隙間Ｄを持たせることが好ましい。これによりスクリーンユニット４のスライド移動時、前記間隙部１６に入り込んだ押出し材料によるスライド抵抗を低減することができる。
【００３１】
また本例では、スクリーン保持リング１４の後方側側面が第２側面Ｓ２を構成する。そのため、押出機２の稼働中は、高い圧力で進入するくさび状の押出し材料により、スクリーン保持リング１４は、スクリーン１２をブレーカプレート１３に強く押し付けうる。即ち、スクリーン１２への保持力を高めることができる。
【００３２】
なお第２側面Ｓ２に代えて、シール部１５Ｂの前方側の側面１５Ｂｓを、押出し方向後方側に傾斜する傾斜面とすることにより、間隙部１６を断面略Ｖ字状に形成しても良い。また第２側面Ｓ２及び側面１５Ｂｓの双方を傾斜面とすることもできる。
【００３３】
図１、２に示すように、スクリーンユニット４のスライド移動は、本例では、油圧のシリンダ２０によって行われる。具体的には、シリンダ２０は、前記ケース本体３の側面に、例えばコ字状の取り付け台２１を介して支持される。またＸ軸方向にのびるシリンダ２０のロッド端に、前記スクリーンユニット４の側面が連結される。なお図１中の符号２２は、スクリーンチェンジャー１の前方側に取り付き、濾過された押出し部材を成形する押出しヘッドである。また図４中の符号２３は、案内孔８の内面に取り付く軸受け部材であって、スライド移動の際のスクリーンユニット４とのスライド抵抗を低減する。
【００３４】
以上、本発明の特に好ましい実施形態について詳述したが、本発明は図示の実施形態に限定されることなく、種々の態様に変形して実施しうる。
【符号の説明】
【００３５】
１     スクリーンチェンジャー
２     押出機
３     ケース本体
４     スクリーンユニット
８     案内孔
９     スライドプレート
１０   濾過セット
１１   収納孔
１１ｓ 内周面
１２   スクリーン
１３   ブレーカプレート
１３ｓ 外周面
１４   スクリーン保持リング
１５   シールリング
１５Ａ 基部
１５Ｂ シール部
１６   間隙部
１７   傾斜面
Ｓ１   第１側面
Ｓ２   第２側面
【図１】
0006426930.tif 000002
【図２】
0006426930.tif 000003
【図３】
0006426930.tif 000004
【図４】
0006426930.tif 000005
【図５】
0006426930.tif 000006
【図６】
0006426930.tif 000007